(57)【特許請求の範囲】
【請求項１】
洗浄水を貯水する貯水タンク装置の貯水タンクに取り付けられる直動式の排水弁装置であって、
貯水タンクの底面に設けられた排水口の上方に取り付けられ、鉛直方向に上下移動して上記排水口を開閉する弁体と、
この弁体に取り付けられ上記弁体を上記貯水タンク内の水位の低下に連動して下降させるフロートと、
上記弁体の内方側且つ上記弁体よりも下方側に突出するように設けられることにより、上記フロートを増設する弁体下方フロート増設部と、を有し、
上記弁体下方フロート増設部は、下方側の外周部の少なくとも一部が上記外周部の外縁から内側に向かって傾斜している傾斜面を形成し、
複数段階に設定される上記排水口からの排水量のうち少ない方の設定の排水量に対しても、上記弁体及び上記弁体下方フロート増設部が排水開始時に弁座よりも上方まで引き上げられるように形成されていることを特徴とする排水弁装置。
【請求項２】
上記弁体下方フロート増設部は、水平断面の断面積が下方に向けて減少するように形成されている請求項１に記載の排水弁装置。
【請求項３】
請求項１又は２に記載の排水弁装置を備えた貯水タンク装置。
【請求項４】
請求項３に記載の貯水タンク装置を備えた水洗大便器。
【発明の詳細な説明】
【技術分野】
【０００１】
本発明は、排水弁装置、洗浄水タンク装置、及び、水洗大便器に関する。
【背景技術】
【０００２】
従来から、貯水タンク装置に貯水した洗浄水により便器本体が洗浄される水洗大便器が知られている。この貯水タンク装置には、排水弁装置が使用されているが、この排水弁装置の一例として、洗浄水タンク内の排水口に対して弁体が鉛直方向に上下動することにより排水口を開閉する排水弁装置が使用されている。このような排水弁装置として、弁体に浮力を作用させるフロートを弁体と一体に形成したものが知られている（たとえば、特許文献１参照）。
【０００３】
この従来の排水弁装置では、フロートの浮力により洗浄水タンク内の水位の低下に連動して弁体が鉛直方向に下降するため、弁体による排水口の開放時間を常にほぼ一定とすることができるので、排水終了後の水位（以下、「死水水位」という）を安定して定めることができる。貯水タンク装置における１回の排水動作において満水水位から死水水位までに排水される洗浄水量が便器本体に供給される洗浄水量となる。
【先行技術文献】
【特許文献】
【０００４】
【特許文献１】米国特許第８０７９０９５号明細書
【発明の概要】
【発明が解決しようとする課題】
【０００５】
このような従来の排水弁装置において、便器本体に供給される洗浄水量を増加させるため、死水水位の高さを当初設定していた死水水位からさらに低い位置に設定することが求められる場合がある。
しかしながら、浮力を増大させるためにフロートの大きさを単純に増大させるだけでは、洗浄水の水位より上の部分のフロートは浮力を生じさせないため、死水水位の高さをさらに低くすることができないという課題がある。また、フロートの大きさが増大されることにより排水の流れが阻害されやすくなるため、排水される洗浄水の瞬間流量が低下するという問題が生じていた。
【０００６】
さらに、通常、このような死水水位の設定や瞬間流量の低下の問題を解決するためには、排水弁装置の大きさや貯水タンクの大きさを変更するなど、根本的な設計改良が必要とされ、改良を容易に行うことができず且つ経済的でないという問題があった。
そこで、排水弁装置や貯水タンクを取り換える又は排水弁装置の大きさを大きくする等の大きな設計改良を行うことなく、比較的簡単に、死水水位の高さをさらに低く設定することができ、且つ排水される洗浄水の瞬間流量が低下することを抑制することができる排水弁装置が要求されていた。
【０００７】
本発明は、従来からの要請を満たすためになされたものであり、貯水タンク装置の排水動作における満水水位から死水水位までに排水する洗浄水の流量を増加させることができ、さらに、排水される洗浄水の瞬間流量が低下することを抑制して、排水弁装置から排水される洗浄水による便器本体の洗浄能力を高めることができる排水弁装置、及び、この排水弁装置を備えた貯水タンク装置、さらに、この貯水タンク装置を備えた水洗大便器を提供することを目的とする。
【課題を解決するための手段】
【０００８】
上記の目的を達成するために、本発明は、洗浄水を貯水する貯水タンク装置の貯水タンクに取り付けられる直動式の排水弁装置であって、貯水タンクの底面に設けられた排水口の上方に取り付けられ、鉛直方向に上下移動して排水口を開閉する弁体と、この弁体に取り付けられ弁体を貯水タンク内の水位の低下に連動して下降させるフロートと、弁体の内方側且つ弁体よりも下方側に突出するように設けられることにより、フロートを増設する弁体下方フロート増設部と、を有し、弁体下方フロート増設部は、下方側の外周部の少なくとも一部が上記外周部の外縁から内側に向かって傾斜している傾斜面を形成し、複数段階に設定される上記排水口からの排水量のうち少ない方の設定の排水量に対しても、上記弁体及び上記弁体下方フロート増設部が排水開始時に弁座よりも上方まで引き上げられるように形成されていることを特徴としている。
このように構成された本発明によれば、フロートを増設する弁体下方フロート増設部が弁体の内方側且つ弁体よりも下方側に突出するように設けられることにより、弁体下方フロート増設部が浮力を受け、弁体が排水口を閉止するタイミングをより遅らせることができるため、弁体が排水口を閉止するまでに貯水タンク内の洗浄水をより多く排水して、排水時の貯水タンク内の低い死水水位を実現することができる。このとき、弁体下方フロート増設部は、弁体よりも下方側に突出している下方側の外周部の少なくとも一部が内側に向かって傾斜している傾斜面を形成しているので、排水時に洗浄水が弁体下方フロート増設部の下方側の外周部に衝突することを抑制し、洗浄水の瞬間流量が低下することを抑制させることができる。従って、排水弁装置の大きさや貯水タンクの大きさを変更しなくても、貯水タンク装置の排水動作における満水水位から死水水位までに排水する洗浄水の流量を増加させることができ、さらに、排水される洗浄水の瞬間流量が低下することを抑制して、排水弁装置から排水される洗浄水による便器本体の洗浄能力を高めることができる。
【０００９】
本発明において、好ましくは、弁体下方フロート増設部は、水平断面の断面積が下方に向けて減少するように形成されている。
このように構成された本発明によれば、弁体下方フロート増設部は、水平断面の断面積が下方に向けて減少するように形成されているので、排水時に洗浄水が弁体下方フロート増設部の下方側の外周部に衝突することを抑制し、洗浄水の瞬間流量が低下することを抑制させることができる。従って、排水弁装置の大きさや貯水タンクの大きさを変更しなくても、貯水タンク装置の排水動作における満水水位から死水水位までに排水する洗浄水の流量を増加させることができ、さらに、洗浄水の瞬間流量が低下することを抑制して、排水弁装置から排水される洗浄水による便器本体の洗浄能力を高めることができる。
【００１０】
本発明の貯水タンク装置は、上述した排水弁装置を備えている。
このように構成された本発明によれば、貯水タンク装置は、排水弁装置を備えているので、同様に、貯水タンク装置の排水動作における満水水位から死水水位までに排水する洗浄水の流量を増加させることができ、さらに、排水される洗浄水の瞬間流量が低下することを抑制することができる。
【００１１】
本発明の水洗大便器は、上述した貯水タンク装置を備えている。
このように構成された本発明によれば、水洗大便器は、上述した貯水タンク装置を備えているので、貯水タンク装置の排水動作における満水水位から死水水位までに排水する洗浄水の流量を増加させることができ、さらに、排水される洗浄水の瞬間流量が低下することを抑制することができる。
【発明の効果】
【００１２】
本発明の排水弁装置、貯水タンク装置、及び、水洗大便器によれば、貯水タンク装置からの排水動作における満水水位から死水水位までに排水する洗浄水の流量を増加させることができ、さらに、排水される洗浄水の瞬間流量が低下することを抑制して、排水弁装置から排水される洗浄水による便器本体の洗浄能力を高めることができる。
【図面の簡単な説明】
【００１３】
【図１】本発明の一実施形態による水洗大便器を示す側面断面図である。
【図２】図１のＡ−Ａ線に沿って見た断面図である。
【図３】本発明の一実施形態による排水弁装置の斜視図である。
【図４】本発明の一実施形態による排水弁装置の台座及びオーバーフロー管を示す斜視図である。
【図５】本発明の一実施形態による排水弁装置の台座及びオーバーフロー管を示す断面図である。
【図６】本発明の一実施形態による排水弁装置の弁体、フロート、及び、下降開始タイミング調整機構を斜め上方から見た様子を示す斜視図である。
【図７】本発明の一実施形態による排水弁装置の弁体、フロート、弁体下方フロート増設部、及び、下降開始タイミング調整機構を斜め下方から見た様子を示す斜視図である。
【図８】本発明の一実施形態による排水弁装置の弁体、フロート、弁体下方フロート増設部、及び、下降開始タイミング調整機構を示す断面図である。
【図９】本発明の一実施形態による排水弁装置の弁体をガイドするガイド部を示す斜視図である。
【図１０】本発明の一実施形態による排水弁装置の下降開始タイミング開始機構の貯水部の即壁を示す斜視図である。
【図１１】本発明の一実施形態による排水弁装置の弁体下方フロート増設部を斜め上方から見た様子を示す斜視図である。
【図１２】本発明の一実施形態による排水弁装置の弁体下方フロート増設部を斜め下方から見た様子を示す斜視図である。
【図１３】本発明の一実施形態による排水弁装置の弁体下方フロート増設部の変形例の中央断面図である。
【図１４】本発明の一実施形態による排水弁装置の排水開始前の状態を示す断面図である。
【図１５】本発明の一実施形態による排水弁装置の排水途中の状態を示す断面図である。
【図１６】本発明の一実施形態による排水弁装置において、弁体が排水口を閉止し、排水が終了した直後の状態を示す断面図である。
【発明を実施するための形態】
【００１４】
以下、添付図面を参照して、本発明の実施形態による排水弁装置、貯水水タンク装置、及び、水洗大便器について説明する。
【００１５】
図１及び図２による本発明の一実施形態による排水弁装置、洗浄水タンク装置、及び、水洗大便器について説明する。先ず、図１により、本発明の一実施形態による水洗大便器について説明する。図１は本発明の一実施形態による水洗大便器を示す側面断面図であり、図２は図１のＡ−Ａ線に沿って見た断面図である。
【００１６】
図１に示すように、本発明の一実施形態による水洗大便器１は、トイレ室の床面に設置される便器本体２と、この便器本体２の後方の上部に設置され、便器本体２に供給される洗浄水を貯水するための貯水タンク装置４とを備える。
【００１７】
便器本体２は、汚物を受けるボウル部６と、貯水タンク装置４から供給される洗浄水をボウル部６へ導く導水路８と、ボウル部６の下部にその入口が接続され、ボウル部６内の汚物を外部の排水管（図示せず）へ排出する排水トラップ管路１０とを備える。
【００１８】
ボウル部６は、上縁部において内側にオーバーハングしたリム部１２と、このリム部１２の便器の左側側方に設けられ、導水路８から供給される洗浄水を便器の前方に吐水する第１吐水口７と、便器左側側方で溜水面の上方位置に設けられ、導水路８から供給される洗浄水を横方向に吐水する第２吐水口１６とを備える。
【００１９】
排水トラップ管路１０は、その入口から上方へ延びる上昇路部分と、上昇路部分の末端から下方に延びて外部の排水管（図示せず）に接続される下降路部分とを備える。ボウル部６から排水トラップ管路１０の上昇路部分にかけては、水封状態を形成するための洗浄水が貯水される。なお、貯水された洗浄水を「溜水」といい、溜水の水面が溜水面である。
【００２０】
水洗大便器１は、ボウル部６内の洗浄水の落差による流水作用で汚物を押し流す、いわゆる洗い落し式である。水洗大便器１においては、第１吐水口７から前方へ吐水された洗浄水が旋回しながら下降してボウル部６を洗浄し、さらに、第２吐水口１６から吐水された洗浄水が縦方向に旋回して、汚物を攪拌して、排水トラップ管路１０へ押し出すようになっている。本発明は、この洗い落とし式に限定されず、サイホン式等の他のタイプの水洗大便器であってもよい。
【００２１】
次に、図２により、洗浄水タンク装置について説明する。図２は、図１のＡ−Ａ線に沿って見た断面図である。図２に示すように、貯水タンク装置４は、洗浄水を貯水する貯水タンク１８と、この貯水タンク１８の蓋部２０と、貯水タンク１８内に設けられる給水装置２２と、排水弁装置２４とを備える。
【００２２】
図２に示すように、貯水タンク１８は、例えば、陶器製であり、上部が開口した略矩形の容器である。また、通常、上部の開口は、例えば、陶器製の蓋部２０（図１参照）によって閉塞される。なお、図２では、蓋部２０の図示を省略している。
【００２３】
貯水タンク１８の外側面には、レバーハンドル２６が設けられる。レバーハンドル２６は、その基部２６ａの軸まわりに回動する。また、レバーハンドル２６には、貯水タンク１８内にほぼ水平に延出し、先端側が下方へ向けて屈曲したほぼＬ字形のスピンドル２８が、レバーハンドル２６の回動軸と同軸で連結される。スピンドル２８は、レバーハンドル２６の回動操作によって、図中の手前側及び奥側へ回動するようになっている。
【００２４】
スピンドル２８の先端部は、排水弁装置２４のほぼ直上に位置する。また、スピンドル２８の先端部には、連結部材である玉鎖３０の一端が接続される。この玉鎖３０の他端は、排水弁装置２４の後述するフロート４８に接続される。
【００２５】
貯水タンク１８の底面には、円形に開口する排水口３２が形成され、この排水口３２は、導水路８（図１参照）へ連通し、洗浄水を導水路８へと供給するようになっている。排水口３２は、排水弁装置２４により開閉される。
【００２６】
図２に示すように、貯水タンク１８内には、給水装置２２が設けられる。給水装置２２は、給水管３４と、小タンク３６と、給水用フロート３８とを備える。給水管３４は、貯水タンク１８外の給水源（図示せず）に接続されるとともに、貯水タンク１８の底面から上方へと延びる。また、給水管３４の下部には、貯水タンク１８内へと洗浄水を供給する給水口３４ａが設けられる。
【００２７】
さらに、給水管３４の上部には、ダイヤフラム式の給水弁（図示せず）が設けられ、この給水弁により、給水管３４から供給される洗浄水の貯水タンク１８内への給水と止水とが切り換わるようになっている。
【００２８】
小タンク３６は、内部に貯水領域を形成しているほぼ矩形の容器であり、給水管３４の側方に着脱自在に設けられる。小タンク３６には、底面に設けられた開口（図示せず）を開閉する逆止弁（図示せず）が設けられる。給水用フロート３８は、小タンク３６内に配置され、小タンク３６内の洗浄水の貯水水位に応じて上下動する。
【００２９】
給水用フロート３８は、揺動体４０を介して給水弁（図示せず）に接続され、上下動によって給水弁を開閉する。具体的には、給水用フロート３８は、小タンク３６に貯水された洗浄水が下面に形成された開口（図示せず）から排水されるので、小タンク３６内の水位の下降に連動して下降する。そして、給水弁は、給水用フロート３８が下降することにより開放され、給水口３４ａから貯水タンク１８内へと洗浄水を供給する。
【００３０】
次に、図２乃至図８により、排水弁装置２４について説明する。
図３は、本発明の一実施形態による排水弁装置の斜視図であり、図４は、本発明の一実施形態による排水弁装置の台座及びオーバーフロー管を示す斜視図であり、図５は本発明の一実施形態による排水弁装置の台座及びオーバーフロー管を示す断面図であり、図６は本発明の一実施形態による排水弁装置の弁体、フロート、及び、下降開始タイミング調整機構を斜め上方から見た様子を示す斜視図であり、図７は本発明の一実施形態による排水弁装置の弁体、フロート、弁体下方フロート増設部、及び、下降開始タイミング調整機構を斜め下方から見た様子を示す斜視図であり、図８は本発明の一実施形態による排水弁装置の弁体、フロート、弁体下方フロート増設部、及び、下降開始タイミング調整機構を示す断面図である。
【００３１】
排水弁装置２４は、排水口３２の上方に配置され、その弁体４２が鉛直方向に上下動して排水口３２を開閉する、いわゆる直動式の排水弁装置である。
【００３２】
排水弁装置２４は、台座４４と、オーバーフロー管４６とを備える。台座４４は、排水口３２のほぼ直上に配置される。台座４４は、所定間隔をあけて、排水口３２の中心に対して同心円状に並んだ複数の柱部４４ａを備え、最下部に設けられた円筒状の接続部４４ｂが排水口３２と螺合する。また、台座４４の下部には、排水口３２へ連通する排水空間４４ｃが形成される。洗浄水は、柱部４４ａと柱部４４ａとの間の開口４４ｄから排水空間４４ｃを通過した後、排水口３２から排水される。
【００３３】
オーバーフロー管４６は、台座４４の側方において台座４４と一体的に設けられる。オーバーフロー管４６は、円筒状に形成され、上端開口が上方を向く。また、オーバーフロー管４６の下端開口は、上端開口とは略直交する横向きに開口し、排水空間４４ｃへと連通する。オーバーフロー管４６は、貯水タンク１８から洗浄水が溢水することを防ぐために設けられ、貯水タンク１８内の水位が、オーバーフロー管４６の上端開口の高さを超えた場合には、洗浄水がオーバーフロー管４６内へ流入し排水口３２へ排水されるようになっている。
【００３４】
また、排水弁装置２４は、貯水タンク１８の底面に設けられた排水口３２の上方に取り付けられ、上下方向に移動して排水口３２を開閉する弁体４２と、この弁体４２に取り付けられ弁体４２を貯水タンク１８内の水位の低下に連動して下降させるフロート４８と、下降開始タイミング可変機構５０と、弁体４２の内方側且つ弁体４２よりも下方側に突出するように取付けられることにより、フロート４８を増設する弁体下方フロート増設部と、を備える。
【００３５】
弁体４２は、円板状に形成され、排水口３２と対向する下面に、ゴム製のシール部４２ａを有する。また、弁体４２は、台座４４内に所定の範囲で上下動可能に設けられ、可動範囲の最下位置において、台座４４上に設けられた弁座４３に当接することにより排水口３２を閉塞する。弁体４２は、環状に形成されており、径方向の内側に空間が形成されるようになっている。弁体４２は、シール部４２ａとともに、環状のシール面を形成している。
【００３６】
フロート４８は、上端が閉鎖された円筒形状の内筒４８ａと、この内筒４８ａの外側に上端が解放された外筒４８ｂを備え、内筒４８ａと外筒４８ｂの下端は下面４８ｃにより閉鎖され、さらに、内筒４８ａと外筒４８ｂの下端が弁体４２と接続され、弁体４２と一体的に設けられている。このフロート４８は、貯水タンク１８内の水位が低下して所定高さに達すると、その後の水位の低下に連動して下降する。フロート４８の内筒４８ａは、その下部が開口されるように形成されている。フロート４８は、内筒４８ａの内側に内部空間４９を形成している。よって、フロート４８は、洗浄水が周囲に存在する状態において、フロート４８の内部空間４９に貯留する空気により上向きの浮力を受けるように形成されている。フロート４８は、その内部空間４９を容積Ｃ１の空間に形成することにより、後述するように、排水時に所定の大きさの浮力を生じさせ、貯水タンク１８内の水位が低下して所定高さに達すると、その後の水位の低下に連動して下降するため、所定の高さの死水水位ＤＷＬ１まで排水を行うことができるように形成されている。
【００３７】
下降開始タイミング可変機構５０は、フロート４８の浮力調整機構であり、フロート４８の周囲及び上方の領域に設けられる。下降開始タイミング可変機構５０は、フロート４８が生じさせる浮力に対し、貯水タンク１８内の水位の低下に連動して弁体４２およびフロート４８が下降を開始する際の貯水タンク１８内の水位を変更する（可変にする）ためのものである。
【００３８】
下降開始タイミング可変機構５０をフロート４８上に配置することにより、フロート４８の排水口３２からの高さを一定にすると共に、弁体４２及びフロート４８が下降を開始する水位を変更することができる。
【００３９】
次に、図３乃至図１０により、下降開始タイミング可変機構５０の具体的な構造について説明する。図９は本発明の一実施形態による排水弁装置の弁体をガイドするガイド部を示す斜視図であり、図１０は本発明の一実施形態による排水弁装置の下降開始タイミング開始機構の貯水部の即壁を示す斜視図である。
ここで、死水水位（ＤＷＬ１〜ＤＷＬ３）とは、洗浄水の排出を止めた際の洗浄水タンク内における洗浄水の水位を指す（図１６参照）。なお、低位置の死水水位を「低ＤＷＬ」といい、高位置の死水水位を「高ＤＷＬ」という。
【００４０】
下降開始タイミング可変機構５０は、貯水部５２と調整部５４を備えている。貯水部５２は、フロート４８の周囲及び上方の領域に形成されている。具体的には、貯水部５２は、フロート４８の内筒４８ａと、外筒４８ｂと、下面４８ｃとにより形成された上部が解放されたドーナッツ形状の容器を備えている。さらに、貯水部５２は、外筒４８ｂの内側に上方から挿入され外筒４８ｂの内側に固定される上端と下端が解放された円筒形状の側壁５６を備えている。この側壁５６は、全周に渡って形成され、側壁５６の上縁部まで洗浄水の貯水が可能となっている。このように、貯水部５２は、フロート４８の内筒４８ａ、外筒４８ｂ、下面４８ｃ、側壁５６により形成され、それらにより形成された内部空間（フロート４８の周囲と上方の領域）に洗浄水を貯水する貯水領域を形成する。
【００４１】
次に、図３乃至図１０により、下降開始タイミング可変機構５０の調整部５４について説明する。下降開始タイミング可変機構５０の調整部５４は、フロート４８の外筒４８ｂの外周面と内周面を貫通するように設けられた、フロート４８の軸方向（上下方向）に延びる縦溝５８と、この縦溝５８の左方向に水平に延びる横溝６０と、を備えている。調整部５４は、さらに、側壁５６の外周面に設けられ、フロート４８の外筒４８ｂの縦溝５８と横溝６０に挿通可能な凸部６２を備えている。ここで、横溝６０は、所定間隔をあけてフロート４８の軸方向に沿って高さの異なる位置に複数（具体的には５個）設けられている。これに関連して、側壁５６の表面には、フロート４８の外筒４８ｂの５個の横溝６０の位置に対応して、水平方向（横方向）に延びる１から５の線が描かれており、凸部６２が特定の横溝６０に挿通したとき、対応する位置の線が外筒４８ｂの上縁のすぐ上に位置して、外部から見ることができるようになっている（図１０参照）。
【００４２】
本実施形態では、貯水部５２の側壁５６に凸部６２が形成され、フロート４８の外筒４８ｂに縦溝５８及び横溝６０が形成されているが、逆に、貯水部５２の側壁５６に縦溝及び横溝を形成し、フロート４８の外筒４８ｂに凸部を形成するようにしてもよい。
【００４３】
ここで、図２、図９により、排水弁装置２４のガイド部６４について説明する。ガイド部６４は、台座４４上に設けられる。また、ガイド部６４は、図２に示すように、フロート４８の外筒４８ｂが挿入可能な円筒状に形成される。ガイド部６４の外周面の対向する２か所には、外方向に突出し上下方向に延びるガイド溝６６が形成されている。このガイド部６４のガイド溝６６には、フロート４８の外筒４８ｂの外側に形成された壁部６１が微小隙間を介して挿入され、貯水部５２の上下動がガイドされるようになっている。このガイド部６４により、弁体４２の上下動が安定する。
【００４４】
図９に示すように、ガイド部６４の一方のガイド溝６６の両側には、ガイド溝６６に沿って上下方向に延びる２個の開口６８が形成されている。開口６８は、ほぼ矩形に形成されている。ガイド部６４に開口６８が形成されているので、ガイド部６４の内部に設定された貯水量を超える余分な洗浄水が存在する場合、その余分な洗浄水を開口６８から流出させることができる。このため、貯水部５２の貯水量が安定する。また、貯水部５２の外筒４８ｂの外側に形成された壁部６１がガイド部６４の上下方向に延びるガイド溝６６に挿入されているので、弁体４２及びフロート４８の周方向の移動が規制されるようになっている。
【００４５】
ここで、開口６８の面積は、ガイド部６４内の洗浄水の水位が、貯水タンク１８内の洗浄水の水位とほぼ同等速度で低下する程度の大きさに形成される。
【００４６】
下降開始タイミング可変機構５０は、凸部６２が横溝６０に挿通される位置を高い位置に調整することにより、比較的高い位置の死水水位の設定とすることができ、逆に、凸部６２が横溝６０に挿通される位置を低い位置に調整することにより、比較的低い位置の死水水位の設定とすることができる。下降開始タイミング可変機構５０は、横溝６０に対して凸部６２の高さの調整を行うことにより、貯水部５２の側壁５６の突出高さの調整を行うことができる。
例えば、比較的高い位置の死水水位の設定がなされた排水弁装置２４においては、貯水部５２の側壁５６の凸部６２がフロート４８の外筒４８ｂの最上位の横溝６０に挿通し、側壁５６が突出高さが最も高い位置にある。このとき、排水口３２から排出される洗浄水量は、最小となる。
【００４７】
この貯水部５２の側壁５６の凸部６２がフロート４８の外筒４８ｂの最上位の横溝６０に挿通している状態から、側壁５６を上方から見て時計回りに回転させて凸部６２を縦溝５８まで水平方向に移動させ、次に、側壁５６を上方から押して最下位の横溝６０まで下降させ、さらに、側壁５６を上方から見て反時計回りに回転させて凸部６２を最下位の横溝６０に挿通させ、これにより、貯水部５２の側壁５６の突出高さが最も低い位置となる。このとき、排水口３２から排出される洗浄水量は、最大となる。このとき、排水弁装置２４においては、比較的低い位置の死水水位の設定がなされたことになる。
【００４８】
次に、図６により、フロート４８に連結部材である玉鎖３０を取付けるための紐体取付部について説明する。フロート４８の上面のほぼ中央には、玉鎖３０を取付けるための連結部材取付部である玉鎖取付部７０が設けられている。この玉鎖取付部７０は、上下方向に延びる一対の鉛直部材７０ａとこれらの鉛直部材７０ａを接続する水平部材７０ｂを備えている。この水平部材７０ｂに対して、玉鎖３０の下端のリング部３０ａが挿通される。この玉鎖３０の下端のリング部３０ａは、鉛直部材７０ａのそれぞれの内側面７０ｃとほぼ平行に延びている。そのため、鉛直部材７０ａの内側面７０ｃが、玉鎖３０のリング部３０ａの回転方向を一方向に規制する回転規制部として機能する。
このように、鉛直部材７０ａの内側面７０ｃが、玉鎖３０のリング部３０ａの回転方向を一方向に規制するので、玉鎖３０と貯水タンク内部材との干渉や玉鎖３０自身の絡まりを防止することができる。
【００４９】
次に、図７及び図８、図１１乃至図１３により、本発明の一実施形態による排水弁装置の弁体下方フロート増設部を説明する。
図１１は本発明の一実施形態による排水弁装置の弁体下方フロート増設部を斜め上方から見た様子を示す斜視図であり、図１２は本発明の一実施形態による排水弁装置の弁体下方フロート増設部を斜め下方から見た様子を示す斜視図であり、図１３は本発明の一実施形態による排水弁装置の弁体下方フロート増設部の変形例の中央断面図である。
【００５０】
弁体下方フロート増設部７２は、平面視で、円形の外形を有している。弁体下方フロート増設部７２は、皿形状に形成され、上部が上方に開口されている。別の言い方によれば、弁体下方フロート増設部７２は、円筒のキャップ形状を形成し、弁体４２の下面４２ｂ（裏面）からさらに下方側に突出するようなドーム形状の突出部を形成している。弁体下方フロート増設部７２は、円形の底部７２ａが下方に台状に突出している。よって、弁体下方フロート増設部７２は、内側に皿形状内側の増設内部空間７４を形成する。すなわち、弁体下方フロート増設部７２は、弁体４２の内方側且つ弁体４２の下方側に取付けた状態で、弁体４２の内方側及び弁体４２の下方側に内部空間４９を増設することができる。増設内部空間７４は、弁体下方フロート増設部７２の内側でほぼ円柱形状に形成されている。増設内部空間７４は、中央横断面においては、四角形状の断面形状を形成している。増設内部空間７４は、容積Ｃ２の空間を形成している。従って、弁体下方フロート増設部７２を取付けた状態で、フロート４８及び弁体下方フロート増設部７２は、Ｃ１＋Ｃ２の容積を有することとなり、Ｃ１＋Ｃ２の容積に対応した浮力を受けることとなる。
【００５１】
弁体下方フロート増設部７２は、弁体４２の下部に取付けた状態で、増設内部空間７４と、内部空間４９とが連通するようになっている。すなわち、弁体下方フロート増設部７２が弁体４２の下部に取付けられた状態で、フロート４８が拡張され、フロート４８及び弁体下方フロート増設部７２が、フロート４８の容積Ｃ１に増設内部空間の容積Ｃ２が加算された分だけ空気を貯留することができる。よって、弁体下方フロート増設部７２が取付けられることによりフロート４８が増設された状態となる。弁体下方フロート増設部７２は、弁体４２及びフロート４８に取付けられ、これらと一体に上下動するようになっている。
【００５２】
弁体下方フロート増設部７２の底部７２ａの中央においては、円形の穿孔７２ｂが形成されている。よって、空気及び洗浄水が穿孔７２ｂを通過して増設内部空間７４及び内部空間４９に流入できるようになっている。
フロート４８及び弁体下方フロート増設部７２は、洗浄水が周囲に存在する状態において、フロート４８の内部空間４９及び増設内部空間７４に貯溜する空気により、フロート４８の内部空間４９のみが設けられている場合よりもさらに大きな上向きの浮力を受けるように形成されている。
また、弁体下方フロート増設部７２は、弁体４２の下部に形成された増設内部空間７４に貯留された空気により浮力を生じさせることができるため、洗浄水の水位が弁体４２の高さとなるまで下降したとしても、水位より下方に位置する弁体下方フロート増設部７２に確実に浮力を生じさせることができる。すなわち、従来よりも低い水位の高さにおいても、フロート４８及び弁体下方フロート増設部７２に十分な浮力を生じさせることができ、弁体４２の下降を遅らせてより低い死水水位まで洗浄水の排水を行うことができる。弁体下方フロート増設部７２が、ほぼ常に水位より下方に位置することとなるため、弁体下方フロート増設部７２の大きさにより効率的に浮力を発生させ且つフロート４８の浮力に加算させることができる。
【００５３】
弁体下方フロート増設部７２は、下方側の外周部の少なくとも一部が内側に向かって傾斜している傾斜面７２ｃを形成している。例えば、弁体下方フロート増設部７２は、下方側の外周部の少なくとも一部が内側に向かって傾斜する斜面を形成していてもよい。弁体下方フロート増設部７２は、傾斜面７２ｃの形成されている領域において、下方に向けて縮径するように形成され、傾斜面７２ｃの形成されている領域における水平断面の断面積が下方に向けて減少するように形成されている。
特に、弁体下方フロート増設部７２のうち弁体４２の下面４２ｂと当接する外周部７２ｅを、弁体４２の下面４２ｂから排水口３２に向かって、内側に向かって細くなるように形成する。
【００５４】
なお、変形例として、図１３に示すように、弁体下方フロート増設部７２は、下方側の外周部の少なくとも一部が内側に向かって弧状に湾曲している湾曲面を形成していてもよい。例えば、図１３においては、弁体下方フロート増設部７２は、中央断面において、下方側の外周部の少なくとも一部が、左右両側とも、内側に向かって弧状に湾曲している湾曲面を形成している。弁体下方フロート増設部７２は、中央断面において、上方に開くラッパのような形状を形成している。湾曲面は円弧状に形成され、洗浄水が緩やかに湾曲面に沿って方向を変えながら流れることができる。
【００５５】
本実施形態においては、弁体下方フロート増設部７２は、底部７２ａ（下方に突出した頂部）がフロート４８の外筒４８ｂの下端４８ｄよりさらに下方において左右方向に延びている。弁体下方フロート増設部７２は、上面７２ｆが弁体４２の下面４２ｂに当接するように取付けられ、上面７２ｆが弁体４２の下面４２ｂと当接している状態で、弁体下方フロート増設部７２の内部縦壁７２ｇが下面４２ｂ近傍から鉛直方向下方に所定距離延びた後、横方向に延びる底部７２ａに接続されている。従って、弁体下方フロート増設部７２は、弁体４２の下面４２ｂ側に取付けられた状態で、弁体４２の高さの基準位置Ｌ（当初の弁体内側キャップ７１が配置される位置を基準位置Ｌとして図示する）よりもさらに下方側に側面及び上方が覆われている増設内部空間７４を形成する。
なお、本発明においては、当初、弁体４２は、一枚の円盤状に形成され、弁体４２の内側方向に形成される弁体内側キャップ７１が、弁体４２とほぼ同一平面上において平板上に形成されることが検討されていた。本発明との比較のため、このような当初の弁体内側キャップ７１を、図８において、点線により図示している。このような当初の弁体内側キャップ７１が配置される位置を基準位置Ｌとして図示している。
本発明においては、弁体下方フロート増設部７２は、弁体４２の高さの基準位置Ｌよりもさらに下方側に側面及び上方が覆われている増設内部空間７４を形成する。
【００５６】
本発明の排水弁装置２４の弁体下方フロート増設部７２は、取外し可能に形成されている。なお、弁体下方フロート増設部７２は、弁体４２に取付け可能に形成されているが、弁体下方フロート増設部７２は、当初から弁体４２と一体として形成されていてもよい。弁体下方フロート増設部７２は、上述のように取付け可能とされる場合には、例えば、比較例の弁体４２の弁体内側キャップ７１に代えて取付けることが可能である。従って、当初、弁体内側キャップ７１が取付けられていた弁体４２及び排水弁装置２４に対し、弁体内側キャップ７１を取り外して弁体下方フロート増設部７２を後取付けすることにより、死水水位ＤＷＬ２を実現する排水弁装置２４を形成することができる。また、弁体下方フロート増設部７２が取付け可能な弁体４２を有している排水弁装置２４であれば、弁体下方フロート増設部７２を後取付けすることにより、本発明の排水弁装置２４を形成することができる。
【００５７】
次に、図１４乃至図１６を参照して排水弁装置２４の動作について説明する。図１４は、本発明の一実施形態による排水弁装置の排水開始前の状態を示す断面図であり、図１５は本発明の一実施形態による排水弁装置の排水途中の状態を示す断面図であり、図１６は本発明の一実施形態による排水弁装置において、弁体が排水口を閉止し、排水が終了した直後の状態を示す断面図である。
【００５８】
排水弁装置２４では、低ＤＷＬ設定とすることにより、高ＤＷＬ設定よりも多量の洗浄水を排水口３２から排水する。反対に、高ＤＷＬ設定とすることにより、低ＤＷＬ設定よりも少量の洗浄水を排水口３２から排水する。
【００５９】
図１４は、洗浄水の排水が開始される前の状態を示している。低ＤＷＬ設定および高ＤＷＬ設定の排水弁装置２４において、排水口３２が弁体４２によって閉塞されている。このとき、貯水タンク１８内の水位は共に満水水位ＷＬ０である。内部空間４９及び増設内部空間７４は空気が貯溜した状態となっており、フロート４８及び弁体下方フロート増設部７２が浮力を受けている。
【００６０】
この後、レバーハンドル２６が操作されると、スピンドル２８が回動する（図２参照）。図１５に示すように、スピンドル２８が回動すると、弁体４２は、玉鎖３０に引き上げられて可動範囲の最上位置へと移動する。これにより、排水口３２から洗浄水が排水される。
【００６１】
高ＤＷＬ設定の排水弁装置２４と、低ＤＷＬ設定の排水弁装置２４との動作の違いについて以下簡単に説明する。
高ＤＷＬ設定の排水弁装置２４では、洗浄水が排水されて貯水タンク１８内の水位が所定高さの水位ＷＬ１に到達すると、フロート４８及び弁体下方フロート増設部７２の浮力と自重のバランスがくずれ、以降の水位の低下に連動して弁体４２及びフロート４８が下降を開始する。一方、低ＤＷＬ設定の排水弁装置２４では、貯水タンク１８内の水位が所定高さの水位ＷＬ１である状態においては、弁体４２は、フロート４８の浮力が自重に対して十分に作用しており、最上位置に停滞したままである。
【００６２】
引き続いて、高ＤＷＬ設定の排水弁装置２４では、下降する水位に連動して弁体４２が下降を続ける。一方、低ＤＷＬ設定の排水弁装置２４では、貯水タンク１８内の水位が所定高さの水位ＷＬ２に到達すると、フロート４８及び弁体下方フロート増設部７２の浮力と自重のバランスがくずれ、以降の水位の低下に連動して弁体４２及びフロート４８が下降を開始する。つまり、低ＤＷＬ設定の排水弁装置２４では、高ＤＷＬ設定の排水弁装置２４よりも遅れて弁体４２が下降を開始する。
【００６３】
また、弁体４２が下降を続けても、ガイド部６４の開口６８から洗浄水が流出するため、ガイド部６４内に洗浄水が溜まらず、貯水部５２に貯水された洗浄水を超える重さがフロート４８に付加されることはない。
【００６４】
次に、高ＤＷＬ設定の排水弁装置２４では、弁体４２が、可動範囲の最下位置に到達し、弁座４３に当接して、排水口３２を閉塞する。なお、弁体４２は、低下する水位に連動して最下位置に近づくと、排水口３２から排水される洗浄水の水流に引き寄せられ、急速に下降して最下位置に到達する。ここで、図１６に示すように、高ＤＷＬ設定の排水弁装置２４において、弁体４２によって排水口３２が閉塞された際の水位が死水水位ＤＷＬ１である。
一方、低ＤＷＬ設定の排水弁装置２４では、下降する水位に連動して弁体４２が下降を続けている。
【００６５】
次に、図１６に示すように、高ＤＷＬ設定の排水弁装置２４よりも遅れて、低ＤＷＬ設定の排水弁装置２４でも、弁体４２が、可動範囲の最下位置に到達し、排水口３２を閉塞する。ここで、低ＤＷＬ設定の排水弁装置２４において、弁体４２によって排水口３２が閉塞された際の水位が死水水位ＤＷＬ２であり、高ＤＷＬ設定の排水弁装置２４における死水水位ＤＷＬ１よりも低い。一方、いずれの設定の排水弁装置２４においても満水水位ＷＬ０は（図１４参照）は同じであるので、低ＤＷＬ設定の排水弁装置２４のほうが高ＤＷＬ設定の排水弁装置２４よりも多量の洗浄水を排水口３２から排水する。
【００６６】
次に、排水弁装置２４が弁体下方フロート増設部７２を備えていることによる、排水弁装置２４の動作について説明する。弁体下方フロート増設部７２は、高ＤＷＬ設定の排水弁装置２４及び低ＤＷＬ設定の排水弁装置２４のいずれにも設けられることができる。弁体下方フロート増設部７２は、特に、低ＤＷＬ設定の排水弁装置２４において、死水水位を低下させることに有効であるので、低ＤＷＬ設定の排水弁装置２４における特徴的な動作を説明し、高ＤＷＬ設定の排水弁装置２４の動作の説明を省略する。
【００６７】
図１５に示すように、弁体４２が、排水口３２から引上げられるとき、洗浄水が排水される。排水中においては、矢印Ｆ１に示すように、洗浄水が、貯水タンク１８内の排水弁装置２４の周囲から弁体４２の下方及び排水口３２に向かって流入する。このとき、弁体下方フロート増設部７２は、下方側の外周部７２ｅの少なくとも一部が内側に向かって傾斜している傾斜面７２ｃを形成しているので、矢印Ｆ２に示すように、洗浄水が、傾斜面７２ｃに沿って、水の流れが阻害されにくく、スムーズに流れることができる。弁体４２の下方に流入する洗浄水が衝突しやすい弁体下方フロート増設部７２の下方側の外周部７２ｅに傾斜面７２ｃを形成することにより、矢印Ｆ２に示すような洗浄水の流れが弁体下方フロート増設部７２に衝突する又は流れが乱れることを抑制することができる。内部空間４９及び増設内部空間７４は空気が貯溜した状態となっており、フロート４８及び弁体下方フロート増設部７２が浮力を受けている。
【００６８】
本発明においては、弁体４２の下面４２ｂ側にさらに突出するように弁体下方フロート増設部７２が設けられている。弁体下方フロート増設部７２が設けられることにより、死水水位を低下させるために有効であるが、一方で弁体４２の下方において突出するように設けられ、弁体４２の下方の流路面積を狭めることとなり、弁体下方フロート増設部７２の一部が弁体４２の下方に向けて流入する洗浄水の流れと衝突しやすくなるため、排水される洗浄水の瞬間流量が低下するという課題が生じる。
【００６９】
仮に、弁体下方フロート増設部７２の下方側の外周部７２ｅに傾斜面が形成されずに角部が存在する状態となっている場合には、矢印Ｆ１に示すように、弁体４２の下方に向かって流入する洗浄水の一部が、弁体下方フロート増設部７２の下方側の外周部７２ｅに衝突し、この乱れが後続の流れを阻害して、排水弁装置２４の周囲から排水口３２に向かって流入する洗浄水の瞬間流量が低下するという問題が生じる。貯水タンク１８から便器本体２に供給される洗浄水の瞬間流量が低下すると洗い落とし式便器においては便器本体２の洗浄能力が低下することとなり、また、サイホン式便器においては、サイホン作用の発生が遅れることとなり洗浄能力が低下することとなる。
【００７０】
本発明においては、上述のような課題を解決するために、弁体４２の下面４２ｂ側にさらに突出するように弁体下方フロート増設部７２が設けられている場合においても、弁体下方フロート増設部７２の下方側の外周部７２ｅに傾斜面７２ｃが形成され、矢印Ｆ２に示すような洗浄水の円滑な流れが形成されるため、排水時に、貯水タンク１８から便器本体２に供給される洗浄水の瞬間流量が低下することを抑制し、比較的高い瞬間流量を実現することができる。
【００７１】
さらに、排水時に、洗浄水が徐々に低下してきた場合においても、弁体４２の下側に設けられている弁体下方フロート増設部７２は、周囲に洗浄水が存在し且つ内部には増設内部空間７４に空気が満たされた状態となっており、上方に浮力を生じさせるようになっている。すなわち、弁体４２の下側に弁体下方フロート増設部７２が設けられることにより、弁体下方フロート増設部７２を確実に洗浄水の水位よりも下方に配置することができ、弁体下方フロート増設部７２の浮力をフロート４８の浮力に加算することができ、弁体４２の下降開始のタイミングを確実に遅らせることができる。よって、弁体４２の下降開始のタイミングを遅らせるので、より低い死水水位ＤＷＬ２まで洗浄水の排水を行うことができ、貯水タンク１８及び排水弁装置２４の構成を大きく変更せずとも、排水弁装置２４をコンパクトに形成したまま、１回の便器本体２の洗浄水量をより多くすることができる。
洗浄水の低下に伴い、フロート４８及び弁体下方フロート増設部７２の浮力と自重のバランスがくずれると、以降の水位の低下に連動して弁体４２及びフロート４８が下降し、弁体４２が、弁座４３に当接して、排水口３２を閉塞する。このとき、貯水タンク１８内においては、洗浄水が死水水位ＤＷＬ２まで貯溜している状態である。内部空間４９及び増設内部空間７４は空気が貯溜した状態となっており、フロート４８及び弁体下方フロート増設部７２が浮力を受けている。以後、給水装置２２が洗浄水を給水し、洗浄水は満水水位ＷＬ０まで上昇され、洗浄動作は終了する。
【００７２】
なお、洗浄水の死水水位に関し、比較例として、弁体下方フロート増設部７２が設けられていない状態で、当初の弁体内側キャップ７１を、弁体４２上に形成した場合（当初の弁体内側キャップ７１を図１６において示す）には、弁体下方フロート増設部７２が設けられておらず、フロート４８に生じる浮力のみにより弁体４２の下降開始のタイミングが決まることにより、弁体４２の下降開始のタイミングが早まるので、死水水位ＤＷＬ２よりも高い位置の死水水位ＤＷＬ３（点線により示す）までしか洗浄水の排水を行うことができなかった。当初においては、このような低ＤＷＬ設定の低い死水水位ＤＷＬ３を、さらに低い死水水位ＤＷＬ２とすることは、貯水タンク１８や排水弁装置２４の大幅な設計変更を伴わなければ実現することが困難と考えられていた。
本発明においては、このような課題を解決し、上述のような構成により、低ＤＷＬ設定の低い死水水位ＤＷＬ３を、さらに低い死水水位ＤＷＬ２とすることができたものである。その上で、さらに低い死水水位ＤＷＬ２とするに際し、新たに生じた課題（瞬間流量の低下の課題）を解決するものである。
【００７３】
上述したように、本実施形態による排水弁装置２４によれば、フロート４８を増設する弁体下方フロート増設部７２が弁体４２の内方側且つ弁体４２よりも下方側に突出するように設けられることにより、弁体下方フロート増設部７２が浮力を受け、弁体４２が排水口３２を閉止するタイミングをより遅らせることができるため、弁体４２が排水口３２を閉止するまでに貯水タンク１８内の洗浄水をより多く排水して、排水時の貯水タンク１８内のさらに低い死水水位を実現することができる。
このとき、弁体下方フロート増設部７２は、弁体４２よりも下方側に突出している下方側の外周部７２ｅの少なくとも一部が内側に向かって傾斜している傾斜面を形成しているので、排水時に洗浄水が弁体下方フロート増設部７２の下方側の外周部７２ｅに衝突することを抑制し、洗浄水の瞬間流量が低下することを抑制させることができる。
従って、排水弁装置２４の大きさや貯水タンク１８の大きさを変更しなくても、貯水タンク装置４の排水動作における満水水位から死水水位までに排水する洗浄水の流量を増加させることができ、さらに、排水される洗浄水の瞬間流量が低下することを抑制して、排水弁装置２４から排水される洗浄水による便器本体２の洗浄能力を高めることができる。
【００７４】
また、本実施形態に係る排水弁装置２４によれば、弁体下方フロート増設部７２は、水平断面の断面積が下方に向けて減少するように形成されているので、排水時に洗浄水が弁体下方フロート増設部７２の下方側の外周部７２ｅに衝突することを抑制し、洗浄水の瞬間流量が低下することを抑制させることができる。
従って、排水弁装置２４の大きさや貯水タンク１８の大きさを変更しなくても、貯水タンク装置４の排水動作における満水水位から死水水位までに排水する洗浄水の流量を増加させることができ、さらに、洗浄水の瞬間流量が低下することを抑制して、排水弁装置２４から排水される洗浄水による便器本体２の洗浄能力を高めることができる。
【００７５】
本実施形態による貯水タンク装置４は、上述した排水弁装置２４を備えているので、同様に、貯水タンク装置４の排水動作における満水水位から死水水位までに排水する洗浄水の流量を増加させることができ、さらに、排水される洗浄水の瞬間流量が低下することを抑制することができる。
【００７６】
本実施形態による水洗大便器１は、上述した貯水タンク装置４を備えているので、貯水タンク装置４の排水動作における満水水位から死水水位までに排水する洗浄水の流量を増加させることができ、さらに、排水される洗浄水の瞬間流量が低下することを抑制することができる。
【符号の説明】
【００７７】
１          水洗大便器
２          便器本体
４          貯水タンク装置
６          ボウル部
７          第１吐水口
８          導水路
１０        排水トラップ管路
１２        リム部
１６        第２吐水口
１８        貯水タンク
２０        蓋部
２２        給水装置
２４        排水弁装置
２６        レバーハンドル
２６ａ      基部
２８        スピンドル
３０        玉鎖
３０ａ      リング部
３２        排水口
３４        給水管
３４ａ      給水口
３６        小タンク
３８        給水用フロート
４０        揺動体
４２        弁体
４２ａ      シール部
４２ｂ      下面
４３        弁座
４４        台座
４４ａ      柱部
４４ｂ      接続部
４４ｃ      排水空間
４４ｄ      開口
４６        オーバーフロー管
４８        フロート
４８ａ      内筒
４８ｂ      外筒
４８ｃ      下面
４８ｄ      下端
４９        内部空間
５０        下降開始タイミング可変機構
５２        貯水部
５４        調整部
５６        側壁
５８        縦溝
６０        横溝
６１        壁部
６２        凸部
６４        ガイド部
６６        ガイド溝
６８        開口
７０        玉鎖取付部
７０ａ      鉛直部材
７０ｂ      水平部材
７０ｃ      内側面
７１        弁体内側キャップ
７２        弁体下方フロート増設部
７２ａ      底部
７２ｂ      穿孔
７２ｃ      傾斜面
７２ｅ      外周部
７２ｆ      上面
７２ｇ      内部縦壁
７４        増設内部空間
Ｃ１        容積
Ｃ２        容積
ＤＷＬ１    死水水位
ＤＷＬ２    死水水位
ＤＷＬ３    死水水位
Ｆ１        矢印
Ｆ２        矢印
Ｌ          基準位置
ＷＬ０      満水水位
ＷＬ１      水位
ＷＬ２      水位
【図１】
0006788213.tif 000002
【図２】
0006788213.tif 000003
【図３】
0006788213.tif 000004
【図４】
0006788213.tif 000005
【図５】
0006788213.tif 000006
【図６】
0006788213.tif 000007
【図７】
0006788213.tif 000008
【図８】
0006788213.tif 000009
【図９】
0006788213.tif 000010
【図１０】
0006788213.tif 000011
【図１１】
0006788213.tif 000012
【図１２】
0006788213.tif 000013
【図１３】
0006788213.tif 000014
【図１４】
0006788213.tif 000015
【図１５】
0006788213.tif 000016
【図１６】
0006788213.tif 000017